(57)【特許請求の範囲】
【請求項１】
重量物運搬具のショルダーベルトの肩掛け部に配置する荷重分散機構であって、任意の屈曲形態においてその形態を保つ金属またはプラスチック製の形状保持材を用い、該形状保持材はその断面形状が実質的に円形であり、少なくとも２本の形状保持材を長手方向と平行になるようにベルト肩掛け部に取り付け、各形状保持材は他の素材と一体化されず、ベルト肩掛け部で長手方向に動きが拘束されないことにより、負荷を有するショルダーベルトを肩に掛けるとベルト肩掛け部が肩表面に沿って屈曲し、その屈曲形態を常に保つことでショルダーベルト下面は使用者の肩面との間で密接して滑らなくなり、運搬重量物の荷重はショルダーベルトの肩掛け部においてほぼ垂直に下向きに作用するショルダーベルト用の荷重分散機構。
【請求項２】
肩当てパッドを装着するショルダーベルトにおいて、該肩当てパッドに形状保持材をベルトの長手方向と平行に配列し、各形状保持材は他の素材と一体化されずに独自に変形する請求項１記載の荷重分散機構。
【請求項３】
形状保持材が線状または板状であり、アルミニウム、スズ、銅、ニッケルないしこれらの合金の軟質金属または金属ワイヤーの樹脂被覆線である請求項１記載の荷重分散機構。
【請求項４】
形状保持材が線状であり、ポリエチレン、ポリエチレン-ポリエステルまたはポリエチレン-ポリエステル−ナイロンのプラスチックである請求項１記載の荷重分散機構。
【発明の詳細な説明】
【技術分野】
【０００１】
本発明は、ショルダーバッグ、バックパック、登山用リュックサックなどの重量物運搬具のショルダーベルトの肩掛け部に配置し、使用者の肩面に沿って湾曲した形態を保つことで重量物の荷重をベルト肩掛け部でほぼ受け止めるショルダーベルト用の荷重分散機構に関する。
【背景技術】
【０００２】
登山やバックパッキングを行う際には、食料、キャンプ用具などの大量の荷物を収納したフレーム付きの縦長バックパックを背負うことを要する。バックパックに入れた荷物が重い場合には、その荷物の重量でショルダーベルトが歩行時などにズレやすく、特に下山の際にズレると危険であるので背負い直すことが多く、このようなズレは一般のリュックサックやショルダーバッグでも常時発生する。このため、ショルダーベルトに滑り止め機能を付加する発明が既に種々提案されている。
【０００３】
例えば、実開昭５９−９７０３７号に開示した滑り止めシートは、合成ゴムのシート表面に係止突起を等間隔に配置した構成であり、該シートをバッグのショルダーベルト内側に貼着する。実開昭６３−１９４６２９号に開示した肩掛け紐では、片面に多数の小突起を設けたラバーシートをショルダーベルトの肩掛け部内側に取り付ける。実開平６−６６３５４号に記載された考案は、肩紐の内側に凹凸のあるゴム、繊維または樹脂素材の滑り止めを取り付けた構成であり、凹凸をつけた部分の長さは２０ｃｍが適当であると開示している。また、特開２００５−３４８８２６号では、直径２〜５ｍｍ、高さ４〜６ｍｍのほぼ円柱形の凸部を分散配列した肩掛け用の滑り止め帯体に関し、該帯体の長さは２５０ｍｍ以上である。
【先行技術文献】
【特許文献】
【０００４】
【特許文献１】実開昭５９−９７０３７号公報
【特許文献２】実開昭６３−１９４６２９号公報
【特許文献３】実開平６−６６３５４号公報
【特許文献４】特開２００５−３４８８２６号公報
【発明の概要】
【発明が解決しようとする課題】
【０００５】
ショルダーベルト用の滑り止め材は、前記のように数多く提案されていても、重い大型バッグを確実に滑り止めできる肩掛けベルトは未だに実用化されていないのが実情である。既存の滑り止め材は、いずれも使用者の肩と接触した際の摩擦抵抗を単に大きくするだけであるので、歩行時の大型バッグの揺れ、大型バッグ内の荷物の重さとその偏りによる不均一な負荷などによって滑り止め材下面と使用者の肩面との間に間隙が生じると、滑り止め材があってもショルダーベルトの滑りが発生し、運搬重量物の荷重によってショルダーベルトが後ろへ引っ張られる現象は発生し、大型バッグが下降するために背負い直しが必要になる。特に、重い運搬物を収納した大型バッグは、ショルダーベルトの滑りが発生しやすく、単に滑り止め材を凹凸表面にするだけでは対処できない。
【０００６】
本発明は、ショルダーベルト用の滑り止め材に関する前記の課題を改善するために、滑り止めの発想を転換することで提案されたものであり、ショルダーベルトが使用者の肩面に沿って湾曲した形態を使用時に保つことに鑑み、摩擦抵抗を単に大きくするだけでなく、重量物の荷重をベルト肩掛け部でほぼ受け止めるショルダーベルト用の荷重分散機構を提供することである。本発明の他の目的は、不使用時にはショルダーベルト自体を折り畳んでバッグを保管したり、複数本の形状保持材を容易に交換できるショルダーベルト用の荷重分散機構を提供することである。
【課題を解決するための手段】
【０００７】
本発明に係る荷重分散機構は、大型バッグを含む重量物運搬具のショルダーベルトの肩掛け部に配置する。本発明に係る荷重分散機構は、任意の屈曲形態においてその形態を保つ金属またはプラスチック製の形状保持材を長手方向と平行になるようにベルト肩掛け部に取り付けることにより、負荷を有するショルダーベルトを肩に掛けるとベルト肩掛け部が肩表面に沿って屈曲し、その屈曲形態を常に保つことでショルダーベルト下面は使用者の肩面との間で密接して滑らなくなり、運搬重量物の荷重はショルダーベルトの肩掛け部においてほぼ垂直に下向きに作用する。
【０００８】
本発明に係る荷重分散機構では、肩当てパッドを装着するショルダーベルトにおいて、該肩当てパッドに形状保持材をベルトの長手方向と平行に配列し、各形状保持材は他の素材と一体化されずに独自に変形すると好ましい。本発明に係る荷重分散機構において、この形状保持材が線状または板状であり、アルミニウム、スズ、銅、ニッケルないしこれらの合金または金属ワイヤーの樹脂被覆線、あるいはポリエチレン、ポリエチレン-ポリエステルまたはポリエチレン-ポリエステル−ナイロンのプラスチックであってもよい。
【発明の効果】
【０００９】
本発明に係る荷重分散機構により、使用者が重量物運搬具のショルダーベルトを肩に掛けた際に、該ショルダーベルトの肩掛け部が使用者の肩面に沿って湾曲し、その湾曲した形態を保ちながら、負荷が掛かっていると使用者の肩の動きに応じて微妙に変形する。この結果、ショルダーベルト下面は使用者の肩面との間で密接して荷重が分散され、運搬重量物の荷重はショルダーベルトの肩掛け部においてほぼ垂直に下向きに作用し、運搬重量物の荷重によってショルダーベルトが後ろへ引っ張られる現象は殆ど解消する。したがって、本発明に係る荷重分散機構は、歩行時のバッグの揺れ、バッグ内の荷物の重さとその偏りによる不均一な負荷などが発生しても、ショルダーベルトは変位せずに同じ肩掛け位置を保つことになり、使用時にバッグが傾いたり下降することがない。
【００１０】
本発明に係る荷重分散機構において、用いる形状保持材は任意に変形可能であるので、ショルダーベルトを適当に曲げたり伸ばして大型リュックサックなどの重量物運搬具を保管することができる。本発明に係る荷重分散機構では、不使用時には形状保持材を取り外して別に保管したり、使用の継続によって形状保持機能を失った形状保持材を容易に交換できる。また、使用者が大型リュックサックを担ぐ際に、荷重分散機構の存在によってショルダーベルトの肩掛け部が裏返しになりにくいという利点もある。
【図面の簡単な説明】
【００１１】
【図１】本発明に係る荷重分散機構を設置したショルダーベルトを備える大型リュックサックを示す使用者の部分側面図であり、その形状保持材を実線で図示し且つリュックサック本体は上半分を図示する。
【図２】図１の大型リュックサックの背面図であり、その形状保持材を実線で図示し且つリュックサック本体は上半分を図示する。
【図３】図１に示す荷重分散機構の拡大平面図である。
【図４】図３に示す荷重分散機構の屈曲状態を示す拡大斜視図である。
【図５】荷重分散機構の変形例を設置したショルダーベルトを備えるショルダーバッグを示す使用者の部分側面図である。
【図６】図５のショルダーバッグの肩当てパッドを示す拡大平面図である。
【図７】図６のＡ−Ａ線に沿って切断した拡大断面図である。
【図８】荷重分散機構の他の変形例を設置したショルダーベルトを備えるボディーバッグを示す使用者の部分側面図である。
【図９】図８に示すショルダーベルトの肩掛け部を切断した拡大断面図である。
【発明を実施するための形態】
【００１２】
図１に示す大型リュックサック１は重量物運搬具の一種であり、使用者の肩に掛ける２本のショルダーベルト２，２を備え、両ショルダーベルトの肩掛け部３に荷重分散機構５を配置する。荷重分散機構５では、任意の屈曲形態においてその形態を保つ金属またはプラスチック製の形状保持材７を有し、少なくとも２本の形状保持材７をベルトの長手方向と平行になるようにベルト肩掛け部３に取り付ければよい（図２参照）。ショルダーベルト２には、荷重分散機構５に加えて通常の滑り止め用ゴムシート、滑り止め帯、肩当てパッドなどを併設することも可能である。
【００１３】
荷重分散機構５を適用する重量物運搬具は、歩行時などにショルダーベルト２がズレるおそれがある重い荷物を収納する大型バッグ類であり、フレーム付きのバックパック、登山用リュックサック、特殊用途の大型リュックサック１（図１参照）、ショルダーバッグ８（図５参照）、ボディーバッグ１０（図８）、ベビーバッグ１２（図１０参照）、ショルダーベルト付きスーツケースなどを含む。荷重分散機構５は、大型バッグ類用でなくても重量物を運搬するためのショルダーベルトに適用でき、例えば、大型カメラ、長寸の電動鋸、電動トリマー、採石運搬具などのショルダーベルトにも適用可能である。
【００１４】
荷重分散機構５は、重量物運搬具のショルダーベルト２の肩掛け部３に配置し、このショルダーベルトは、荷物を安定させることを要するバックパックのようなリュックサック類、ベビーバッグ１２などでは２本使用し、ショルダーバッグ８、ボディーバッグ１０または他の物品運搬具では当然１本使用する。また、図５と図６に示すように、荷重分散機構５をショルダーバッグに設置するのではなく、該ショルダーバッグに装着する肩当てパッド１４に荷重分散機構を設置し、該肩当てパッドを介して間接的にベルト肩掛け部を屈曲させてもよい。
【００１５】
荷重分散機構５には、任意の屈曲形態においてその形態を保つ金属またはプラスチック製の形状保持材７（図３と図４参照）を用い、少なくとも２本の形状保持材７をベルトの長手方向と平行に配列するようにベルト肩掛け部３に取り付ける。この形状保持材は、アルミニウム、スズ、銅、ニッケルないしこれらの合金の軟質金属ワイヤーまたはこれら金属ワイヤーの樹脂被属線であっても、ポリエチレン、ポリエチレン-ポリエステルまたはポリエチレン-ポリエステル−ナイロンなどのポリオレフィン系樹脂のプラスチックワイヤーであってもよい。
【００１６】
形状保持材７は、荷重分散機構５において少なくとも２本使用し、１本だけであるとショルダーベルト２の肩掛け部３に捩れが生じて長期間の形状保持が困難になりやすく、ショルダーベルト２の横幅から７本以上は並置しにくい。形状保持材７は、ショルダーベルト２の長手方向とほぼ平行になるようにベルト肩掛け部３に取り付ければよい。形状保持材７は、バッグに収納する運搬物の重量に応じて使用本数を定めればよく、例えば、図１の大型リュックサック１では６本、図５のショルダーバッグ８では５本、図８のボディーバッグ１０では３本、図１０のベビーバッグ１２では板状の形状保持材を使用する。
【００１７】
形状保持材７について、通常、金属ワイヤーはプラスチックワイヤーに比べて重くて存在感を有するけれども、一般に耐久性がより高いので交換なしで長期間使用でき、錆が発生するような環境では樹脂被覆の金属ワイヤーを適用すればよい。一方、プラスチックワイヤーは、金属ワイヤーに比べて軽いけれども、耐久性が比較的低いので長期間使用する場合には交換が必要になる場合もある。
【００１８】
形状保持材７は、断面形状が実質的に円形であり、この断面形状には楕円形または多角形のような円形に近似のものを包含する。形状保持材７について、円形の金属ワイヤーの直径は２〜３．５ｍｍ、プラスチックワイヤーの直径は２．５〜４ｍｍであると好ましい。形状保持材７は、所望の耐久性および使用環境に応じて、その直径を金属またはプラスチックワイヤーの素材とともに選択すればよい。また、形状保持材７の長さは、図１や図５に例示するように使用者の肩全体を覆うことができると好ましく、通常、長さ２０〜２５ｃｍに定める。
【００１９】
複数本の形状保持材７は、任意の方法でベルト肩掛け部３に取り付けることができる。例えば、図４に示すようにショルダーベルト２に縫着されるカバークロス１６で支持してもよく、該形状保持材はカバークロス１６から取り出し可能である。また、図６のようにショルダーベルトを通した肩当てパッド１４に取り付けたり、図８のように筒状のショルダーベルトの内部に収納したり、図１１のようにショルダーベルトとパッドとの間に配置することも可能である。
【００２０】
各形状保持材７は他の素材と一体化されないことが必要であり、例えば、ショルダーベルト２やカバークロス１６などの他の素材に接着または縫い付けず、カバークロス１６の小筒部２２の中で動きを拘束させないことを要する。この結果、各形状保持材７は、他の素材の動きに従属することなく、負荷が掛かった際に独自に変形して使用者の肩面に沿って湾曲し、負荷が掛かった状態で使用者の肩の動きに応じて微妙に変形できる。
【００２１】
荷重分散機構５を取り付けたショルダーベルト２を有する重量物運搬具は、図１に示すように使用者の肩に掛けると、該ショルダーベルトの肩掛け部３が使用者の肩面に沿って湾曲して密に接触する。この際に、ショルダーベルト２の密接が不十分であれば、手によってベルト肩掛け部３をさらに適当に屈曲させればよい。この結果、重量物運搬具のショルダーベルト２は、その湾曲した形態を保ちながら、負荷が掛かっていると使用者の肩の動きに応じて微妙に変形するので、運搬重量物の荷重はショルダーベルトの肩掛け部においてほぼ垂直に下向きに作用し、運搬重量物の荷重によってショルダーベルトが後ろへ引っ張られる現象は殆ど解消する。
【００２２】
ショルダーベルト２，２において、荷重分散機構５で用いる複数本の形状保持材７は任意に変形可能であるので、ショルダーベルト２を適当に曲げたり伸ばして重量物運搬具をコンパクトに保管することができる。また、荷重分散機構５において、不使用時に形状保持材７を総て取り外して別に保管したり、使用の継続によって形状保持機能を失った一部または全部の形状保持材７を容易に交換できる。
【実施例１】
【００２３】
次に、本発明を実施例に基づいて説明するが、本発明は実施例に限定されるものではない。図１に示す特殊用途の大型リュックサック１は、フレーム付きのバックパックに対応する重量物運搬具の一種であり、使用者Ａの肩に掛ける２本のショルダーベルト２，２を備える。大型リュックサック１は、磯釣りなどで吊り上げたブリ、ヒラマサ、カンパチなどの大型魚をそのまま縦に収納できるリュックサック本体１８を備える。
【００２４】
大型リュックサック１において、両ショルダーベルト２，２の肩掛け部３に荷重分散機構５を配置する。荷重分散機構５は、ポリエチレン被覆したアルミ合金製である直径３．２ｍｍの形状保持材７からなり、図３と図４に示すように６本の形状保持材７をカバークロス１６でほぼ等間隔に支持する。カバークロス１６はベルト肩掛け部３に筒状に配置され、該カバークロスとベルト２に縫い付けた並列の縫着線２０によって複数の小筒部２２を形成し、形状保持材７は各小筒部２２に収納して個別に支持されるが、各小筒部２２の中で拘束されることはない。各形状保持材７の脱落を防ぐために、縦縫着線２４で各小筒部２０の一端を封止し、該小筒部の他端は図示のように開放していても、両面ファスナ（図示しない）などによって開閉自在にしてもよい。
【００２５】
図１に示すように、大型リュックサック１の両ショルダーベルト２，２を使用者の肩に掛けると、該ショルダーベルトの肩掛け部３が使用者の肩面に沿って湾曲して密に接触する。この際に、ショルダーベルト２の密接が不十分であれば、手によってベルト肩掛け部３をさらに適当に屈曲させる。大型リュックサック１が荷物で重くなっても、ショルダーベルト２，２は、その湾曲した形態を保ちながら使用者の肩の動きに応じて微妙に変形して、運搬重量物の荷重がショルダーベルト２の肩掛け部においてほぼ垂直に下向きに作用し、歩行時のリュックサック１の揺れ、リュックサック内の荷物の偏りによる不均一な負荷が発生しても、ショルダーベルト２，２は常に同じ肩掛け位置を保ち、使用時にリュックサック１が傾いたり下降することがない。また、使用者が大型リュックサック１を担ぐ際に、荷重分散機構５の存在によってショルダーベルト２の肩掛け部３が裏返しになりにくい。
【００２６】
６本の形状保持材７は、アルミ合金でもポリエチレン被覆しているので、雨水や海水で錆びることがない。ショルダーベルト２，２における６本の形状保持材７は任意に変形可能であるので、大型リュックサック１をコンパクトに保管することができる。また、不使用時に６本の形状保持材７を荷重分散機構５の小筒部２２から取り外して別に保管したり、一部または全部の形状保持材７が破損すれば容易に交換できる。
【実施例２】
【００２７】
図５に示すショルダーバッグ８は、使用者の肩に掛けるショルダーベルト２６を備え、該ショルダーベルトを肩当てパッド１４の４対の縦スリット２７（図６）に通すことにより、該ショルダーベルトに肩当てパッド１４を装着する。ショルダーバッグ８は、図１の大型リュックサック１に比べて運搬物が比較的軽いので形状保持材２８を４本使用すればよい。楕円形平面に近い肩当てパッド１４は比較的厚いフェルトなどからなり、各形状保持材２８を嵌めるための並列の長溝を形成してもよい。
【００２８】
ショルダーバッグ８では、ショルダーベルト２６の肩当てパッド１４上に荷重分散機構３０を設置する。荷重分散機構３０は、アルミ合金製である直径３ｍｍの形状保持材２８からなり、図６と図７に示すように４本の形状保持材２８をカバークロス３２で支持する。カバークロス３２は肩当てパッド１４上に縫着され、実施例１とほぼ同様に各形状保持材２８をほぼ等間隔に個別に支持するが、カバークロス３２の下で動きを拘束することはない。
【００２９】
図５に示すように、ショルダーバッグ８のショルダーベルト２６を使用者の肩に掛けると、肩当てパッド１４がショルダーベルト２６の肩掛け部に位置して使用者の肩面に沿って湾曲して密に接触する。ショルダーバッグ８が荷物で重くなっても、肩当てパッド１４およびショルダーベルト２６は、その湾曲した形態を保ちながら使用者の肩の動きに応じ
て微妙に変形して、運搬重量物の荷重がショルダーベルト２６の肩掛け部においてほぼ垂直に下向きに作用し、歩行時のショルダーバッグ８の揺れ、バッグ８内の荷物の偏りによる不均一な負荷が発生しても、ショルダーベルト２６は常に同じ肩掛け位置を保ち、使用時にショルダーバッグ８が傾いたり下降することがない。
【００３０】
肩当てパッド１４における４本の形状保持材２８は任意に変形可能であるので、ショルダーバッグ８をコンパクトに保管することができる。また、不使用時に４本の形状保持材２８を荷重分散機構３０から取り外して別に保管したり、一部または全部の形状保持材２８が破損すれば容易に交換できる。
【実施例３】
【００３１】
図８に示すボディーバッグ１０は、使用者の肩に掛けるショルダーベルト３４を備え、該ショルダーベルトの肩掛け部に荷重分散機構３６を配置する。ボディーバッグ１０は、図５のショルダーバッグ８に比べて運搬物が軽いのでプラスチック製の形状保持材３８を３本使用すればよい。
【００３２】
ショルダーベルト３４は筒織物からなり、この筒織物の中に荷重分散機構３６として形状保持材３８を収納して固定する。荷重分散機構３６は、ポリエチレン製である直径３ｍｍの形状保持材３８からなり、図９に示すように３本の形状保持材３８を筒状のショルダーベルト３４内に入れ、縫い付けによって各形状保持材３８を個別に支持するが、ショルダーベルト３４の中で動きを拘束することはない。筒状のショルダーベルト３４内にクッション材（図示しない）を充填すると、使用者が形状保持材３８の存在を感じることがない。また、筒状のショルダーベルトを肩掛け部だけに配置し、残りの通常のベルトと接続してもよい。
【００３３】
図８に示すように、ボディーバッグ１０のショルダーベルト３４を使用者の肩に掛けると、ショルダーベルト３４の肩掛け部は使用者の肩面に沿って湾曲して密に接触する。ボディーバッグ１０が荷物で重くなっても、ショルダーベルト３４は、その湾曲した形態を保ちながら使用者の肩の動きに応じて微妙に変形して、運搬重量物の荷重がショルダーベルト３４の肩掛け部においてほぼ垂直に下向きに作用し、歩行時のボディーバッグ１０の揺れ、バッグ１０内の荷物の偏りによる不均一な負荷が発生しても、ショルダーベルト３４は常に同じ肩掛け位置を保ち、使用時にボディーバッグ１０が傾いたり下降することがない。
【００３４】
ショルダーベルト３４内で３本の形状保持材３８は任意に変形可能であるので、ボディーバッグ１０をコンパクトに保管することができる。また、一部または全部の形状保持材３８が破損すれば容易に交換できる。
【符号の説明】
【００３９】
１  大型リュックサック  
２  ショルダーベルト  
３  ベルト肩掛け部  
５  荷重分散機構  
７  形状保持材
１４  肩当てパッド
１６  カバーシート  
【要約】
【課題】
バックパック、登山用リュックサック、大型カメラなどの重量物運搬具のショルダーベルトの肩掛け部に配置し、使用者の肩面に沿って湾曲した形態を保つことで重量物の荷重をベルト肩掛け部でほぼ受け止めるショルダーベルト用の荷重分散機構を提供する。  
【解決手段】
任意の屈曲形態においてその形態を保つ金属またはプラスチック製の形状保持材７を用い、少なくとも２本の形状保持材７をベルトの長手方向と平行になるようにベルト肩掛け部３に取り付けることにより、負荷を有するショルダーベルト２を肩に掛けるとベルト肩掛け部３が肩表面に沿って屈曲し、その屈曲形態を常に保つことでショルダーベルト下面は使用者の肩面との間で密接して滑らなくなり、運搬重量物の荷重はショルダーベルト２の肩掛け部３においてほぼ垂直に下向きに作用する。
【選択図】図１【図１】
0006714191.tif 000002
【図２】
0006714191.tif 000003
【図３】
0006714191.tif 000004
【図４】
0006714191.tif 000005
【図５】
0006714191.tif 000006
【図６】
0006714191.tif 000007
【図７】
0006714191.tif 000008
【図８】
0006714191.tif 000009
【図９】
0006714191.tif 000010